(57)【要約】      （修正有）【課題】製袋時に簡単に設けることができて、且つ、角型形状の底面を形成する時の折り曲げの起点となる部分を所定位置に有する口栓付きのガセット袋を提供する。【解決手段】少なくとも、基材層、シーラント層を有する積層材料からなる平面状の正面部材及び背面部材と、折り目１６、１７を介して内側にガセット折り込みされた同一構成の積層材料からなる２枚の側面部材とからなり、一辺に開口辺を有し、その反対辺に底シール部６を有し、残りの４辺にサイドシール部７、８、９、１０を有するガセット袋の開口辺にキャップ３とスパウト２からなる口栓４を具備する天シール部５を設けてなる口栓付きガセット袋１であって、各サイドシール部の底シール部側の周縁で、かつ底シール部６からの高さが同一の位置に角型形状の底面を形成する時の折り曲げの起点となる所定形状の切り落とし部１２、１３、１４、１５が設けられている。【選択図】図１
2008018992.tif 000002
【特許請求の範囲】
【請求項１】
少なくとも、基材層、シーラント層を有する積層材料からなる平面状の正面部材及び背面部材と、折り目を介して内側にガセット折り込みされた同一構成の積層材料からなる２枚の側面部材とからなり、一辺に開口辺を有し、その反対辺に底シール部を有し、残りの４辺にサイドシール部を有するガセット袋の開口辺にキャップとスパウトからなる口栓を具備する天シール部を設けてなる口栓付きガセット袋であって、各サイドシール部の底シール部側の周縁で、かつ底シール部からの高さが同一の位置に角型形状の底面を形成する時の折り曲げの起点となる所定形状の切り落とし部が設けられていることを特徴とする口栓付きガセット袋。
【発明の詳細な説明】
【技術分野】
【０００１】
本発明は、各種のゼリー飲料等の内容物を包装する為の口栓付きのガセット袋に関するものである。
【背景技術】
【０００２】
内容物を充填密封した口栓付きの包装袋は、通常、店頭では自立させた状態で陳列、販売されており、使用する包装袋としては、良好な自立性を得る為に各種の形態のものが使用されている。近年、各種のゼリー飲料の包装袋としては、口栓付きのガセット袋が多く使用されている。自立性を良くする為に工夫を施こした口栓付きのガセット袋とその製造方法が提案されている（例えば、特許文献１参照。）。
【特許文献１】特開２０００−１８５７４０号公報
【発明の開示】
【発明が解決しようとする課題】
【０００３】
しかし、前記提案されている口栓付きのガセット袋は、底面を角型形状にし易くする為に製袋前に所定位置に熱罫線を入れる製造方法で製造しており、特殊な熱罫線入れ装置が必要であり、製造工程も煩雑であるなどの問題があった。
【０００４】
本発明の課題は、製袋時に簡単に設けることができて、且つ、角型形状の底面を形成する時の折り曲げの起点となる部分を所定位置に有する口栓付きのガセット袋を提供することにある。
【課題を解決するための手段】
【０００５】
本発明の請求項１に係る発明は、少なくとも、基材層、シーラント層を有する積層材料からなる平面状の正面部材及び背面部材と、折り目を介して内側にガセット折り込みされた同一構成の積層材料からなる２枚の側面部材とからなり、一辺に開口辺を有し、その反対辺に底シール部を有し、残りの４辺にサイドシール部を有するガセット袋の開口辺にキャップとスパウトからなる口栓を具備する天シール部を設けてなる口栓付きガセット袋であって、各サイドシール部の底シール部側の周縁で、かつ底シール部からの高さが同一の位置に角型形状の底面を形成する時の折り曲げの起点となる所定形状の切り落とし部が設けられていることを特徴とする口栓付きガセット袋である。
【発明の効果】
【０００６】
本発明の口栓付きガセット袋は、少なくとも、基材層、シーラント層を有する積層材料からなる平面状の正面部材及び背面部材と、折り目を介して内側にガセット折り込みされた同一構成の積層材料からなる２枚の側面部材とからなり、一辺に開口辺を有し、その反対辺に底シール部を有し、残りの４辺にサイドシール部を有するガセット袋の開口辺にキャップとスパウトからなる口栓を具備する天シール部を設けてなる口栓付きガセット袋であって、各サイドシール部の底シール部側の周縁で、かつ底シール部からの高さが同一の位置に角型形状の底面を形成する時の折り曲げの起点となる所定形状の切り落とし部が設けられているので、切り落とし部は製袋時に容易に設けことが出来、さらに、その切り落とし部から折り曲げて底面を容易に角型形状に形成することが可能で、優れた自立性が得られる。
【発明を実施するための最良の形態】
【０００７】
本発明の口栓付きガセット袋を実施の形態に沿って、以下に詳細に説明する。図３は本
発明の口栓付きガセット袋に使用する積層材料の一実施形態を示す側断面図であり、積層材料（２０）は、厚み方向に順に、基材層（２１）、接着剤層（２５）、ガスバリア層（２２）、接着剤層（２６）、中間フィルム層（２３）、接着剤層（２７）、シーラント層（２４）を積層した構成になっている。
【０００８】
なお、前記基材層（２１）と接着剤層（２５）の間に印刷層を積層しても良い。
【０００９】
前記基材層（２１）には、二軸延伸ポリプロピレンフィルム、二軸延伸ナイロンフィルム、二軸延伸ポリエステルフィルムなどが使用される。
【００１０】
前記ガスバリア層（２２）は、積層材料のガスバリア性を向上させる為に積層するものであり、例えば、アルミニウム箔、エチレン・ビニルアルコールフィルム、アクリルフィルム、ポリビニルアルコールフィルム、アルミニウム蒸着フィルム、酸化珪素若しくは酸化アルミニウムなどの蒸着薄膜層を積層したバリア性積層フィルムなどが主に使用される。
【００１１】
前記中間フィルム層（２３）は、積層材料の各種強度を向上させる為に積層するものであり、例えば、二軸延伸ナイロンフィルム、無延伸ナイロンフィルム、二軸延伸ポリエステルフィルムなどが主に使用される。
【００１２】
前記シーラント層（２４）は、ポリオレフィン系樹脂又はポリオレフィン系樹脂フィルムからなっており、使用するポリオレフィン系樹脂としては、例えば、低密度ポリエチレン樹脂、直鎖状低密度ポリエチレン樹脂、中密度ポリエチレン樹脂、高密度ポリエチレン樹脂、エチレン・α−オレフィン共重合体樹脂などのエチレン系樹脂や、ホモポリプロピレン樹脂、プロピレン・エチレンランダム共重合体、プロピレン・エチレンブロック共重合体、ポリプロピレン・α−オレフィン共重合体などのプロピレン系樹脂などの選択が可能であり、また、これらのオレフィン系樹脂をグラフト重合などにより酸変性した変性ポリオレフィン樹脂も使用可能である。上述したポリオレフィン系樹脂の単体又は２種以上からなるブレンド物でもかまわない。積層方法は公知の溶融押出法あるいはドライラミネーション法で積層する。
【００１３】
前記接着剤層（２５、２６、２７）に使用する接着剤は、一般的にポリウレタン系接着剤を使用する。通常、水酸基を持った主剤とイソシアネート基を持った硬化剤とを２液混合して使用する２液型が使用される。その塗布方法もグラビアコート法などの公知の方法で塗布する。塗布量は１〜５ｇ／ｍ2（乾燥状態）が良い。
【００１４】
図１（ａ）は本発明の口栓付きガセット袋の一実施形態を示す正面からの平面図であり、（ｂ）は（ａ）の口栓付きガセット袋の背面からの平面図であり、口栓付きガセット袋（１）は、上端に設けた天シール部（５）には内容物を充填及び注出する為のスパウト（２）と、密封する為のキャップ（３）とからなる口栓（４）を具備しており、天シール部（５）の反対辺に底シール部（６）を有しており、図１（ａ）に示しているように、正面から見た場合は、両サイドにはサイドシール部（７、８）を有しており、図１（ｂ）に示しているように、背面から見た場合は、両サイドにはサイドシール部（９、１０）が有しており、袋内部には、両側のガセット折り込みされた側面部材の折り目（１６、１７）を有しており、さらに、前記サイドシール部（７、８、９、１０）には、底シール部（６）側の周縁で、かつ、底シール部（６）からの高さがそれぞれ同一のｈ1 の位置に所定形状の切り落とし部（１２、１３、１４、１５）が設けられている。
【００１５】
前記切り落とし部（１２、１３、１４、１５）は、それぞれが相対するような位置に設けられているので、角型形状の底面を形成する時に折り曲げの起点となる役割を有してお
り、この切り落とし部があることにより容易に底面を角型形状にできる。その形状は折り曲げの起点となり易い形状であれば特に限定されず、半円形状、半楕円形状、三角形状のものがある。なお、天シール部（５）はサイドシール部（７）の一部とサイドシール部（９）の一部、サイドシール部（８）の一部とサイドシール部（１０）の一部が互いに接着するように左右の両端に切り欠き部（１１ａ、１１ｂ）を設けた状態でシールしている。
【００１６】
図２（ａ）は本発明の口栓付きガセット袋の底面を角型形状に形成した状態で、正面から見た場合の斜視図であり、上端の天シール部（５）にスパウト（２）とキャップ（３）からなる口栓（４）を具備しており、切り落とし部（１２、１３、１４、１５、但し、１４は図示していない）の部分から折り曲げて角型形状の底面を形成しており、（ｂ）は（ａ）の状態の口栓付きガセット袋の底面形状の説明図であり、４隅には各切り落とし部（１２、１３、１４、１５）の一部である切り落とし部（１２ａ、１３ａ、１４ａ、１５ａ）を有しており、さらに、サイドシール部（７、８、９、１０）の各切り落とし部（１２、１３、１４、１５）から下の一部分であるサイドシール部（７ａ、８ａ、９ａ、１０ａ）と、底シール部（６）を有している。
【００１７】
本発明の口栓付きガセット袋は、４ヶ所のサイドシール部にそれぞれ設けた切り落とし部が上記記載の位置に設けられており、サイドシール部の切り落とし部を有する部分が折り曲げ時の反発力が小さくなって、折り曲げの起点となるので、内容物を充填、密封後に袋をその切り落とし部から折り曲げて容易に底面を角型形状に形成でき、優れた自立性が得られる特徴を有する。
【図面の簡単な説明】
【００１８】
【図１】（ａ）は本発明の口栓付きガセット袋の一実施形態を示す正面からの平面図であり、（ｂ）は（ａ）の口栓付きガセット袋の背面からの平面図である。
【図２】（ａ）は本発明の口栓付きガセット袋の底面を角型形状に形成した状態の斜視図であり、（ｂ）は（ａ）の口栓付きガセット袋の底面形状の説明図である。
【図３】本発明の口栓付きガセット袋に使用する積層材料の一実施形態を示す側断面図である。
【符号の説明】
【００１９】
１…口栓付きガセット袋
２…スパウト
３…キャップ
４…口栓
５…天シール部
６…底シール部
７，８，９，１０…サイドシール部
７ａ，８ａ，９ａ，１０ａ…サイドシール部の一部
１１ａ，１１ｂ…切り欠き部
１２，１３，１４，１５…切り落とし部
１２ａ，１３ａ，１４ａ，１５ａ…切り落とし部の一部
１６，１７…折り目
２０…積層材料
２１…基材層
２２…ガスバリア層
２３…中間フィルム層
２４…シーラント層
２５，２６，２７…接着剤層
【図１】
2008018992.tif 000003
【図２】
2008018992.tif 000004
【図３】
2008018992.tif 000005